(57)【要約】【課題】ＩＣタグの無線性能への影響を従来より低減させることが可能であると共に、ＩＣタグを容易に装着することが可能なＩＣタグホルダを提供する。【解決手段】本発明のＩＣタグホルダ１０の構成によれば、ＩＣタグ９０を前後方向Ｚで挟持する部材が、タグ収容枠１１の対向辺間に差し渡されたフロント支柱１４及びリア支柱１５で構成されているので、従来のＩＣタグホルダのようにＩＣタグの後面全体に対して密着するものより、ＩＣタグ９０との密着部分を減らすことができ、無線性能への影響を従来より低減させることが可能になる。また、ＩＣタグ９０をタグ挿入孔２０に挿入するだけでＩＣタグ９０がタグ収容枠１１内に抜け止め状態に装着されるのでＩＣタグ９０の装着作業を従来より容易に行うことができる。【選択図】図１
2008191943.tif 000002
【特許請求の範囲】
【請求項１】
カード形のＩＣタグを四方から囲むと共に前記ＩＣタグの前面及び後面を前後方向で露出した状態にして収容可能なタグ収容枠と、
前記ＩＣタグにて管理される管理対象物に前記タグ収容枠を取り付けるための取付部と、
前記タグ収容枠の一辺に貫通形成されてその一辺の長手方向に延び、前記ＩＣタグを前記タグ収容枠の側方から前記タグ収容枠内に挿入可能とするためのタグ挿入孔と、
前記タグ挿入孔の内側に形成され、前記ＩＣタグを前記タグ挿入孔に挿入したときに、そのタグ挿入孔の奥側に進むに従って前記ＩＣタグを挿入方向と直交する方向で湾曲した形状に弾性変形させる変形ガイドと、
前記タグ収容枠内に収容した前記ＩＣタグを、前記タグ挿入孔側に逆戻り不能に弾性復元させた状態で前記前後方向から挟持する複数のタグ前後保持部材とを備え、
前記複数のタグ前後保持部材は、前記タグ収容枠の対向辺間に差し渡された支柱、又は、前記タグ収容枠から内側に張り出して前記ＩＣタグの縁部のみに対向するタグ縁部対向突壁の何れか又はそれらの両方で構成されたことを特徴とするＩＣタグホルダ。
【請求項２】
前記タグ挿入孔の内面のうち前記前後方向で対向した第１と第２の挿入孔内面によって前記変形ガイドが構成され、
前記第１の挿入孔内面は、前記ＩＣタグの挿入方向と直交する方向で円弧状に湾曲しかつ前記ＩＣタグの挿入方向と並行になった円弧面であり、
前記第２の挿入孔内面は、前記ＩＣタグの挿入方向の奥側に位置した奥側縁部が前記第１の挿入孔内面と並行になって湾曲する一方、前記ＩＣタグの挿入方向の手前側に位置した手前側縁部が直線状に延びて、それら奥側縁部と手前側縁部との間で三次元的に捻れた捻れ曲面であることを特徴とする請求項１に記載のＩＣタグホルダ。
【請求項３】
前記タグ収容枠のうち前記タグ挿入孔を有する枠構成壁のうち長手方向の中央部を内側に湾曲させることで、前記枠構成壁の外面にタグ押圧凹部を陥没形成する一方、前記枠構成壁の内面に湾曲挟持部を突出形成してその湾曲挟持部で前記タグ縁部対向突壁を構成し、
前記ＩＣタグが前記タグ挿入孔を通して前記タグ収容枠の奥部に突き当たるまで挿入された状態で、前記ＩＣタグのうち挿入方向と直交する方向の両端部が、前記タグ挿入孔を通過する一方、前記ＩＣタグの中央部のみが前記湾曲挟持部において前記タグ挿入孔内に留まってその湾曲挟持部により前後方向から挟持されるように構成したことを特徴とする請求項１又は２に記載のＩＣタグホルダ。
【請求項４】
前記ＩＣタグホルダは、前記管理対象物に備えられて互いに対向した１対のホルダ取付壁の間に受容され、
前記取付部は、前記ＩＣタグホルダを前記１対のホルダ取付壁の間に受容する過程で弾性変形した後、弾性復元して前記１対のホルダ取付壁に係止する弾性係止部材で構成されたことを特徴とする請求項１乃至３の何れかに記載のＩＣタグホルダ。
【請求項５】
前記タグ挿入孔は、前記ＩＣタグホルダを前記１対のホルダ取付壁の間に受容した状態で前記管理対象物の壁面に覆われる位置に配置されたことを特徴とする請求項４に記載のＩＣタグホルダ。
【発明の詳細な説明】
【技術分野】
【０００１】
本発明は、カード形のＩＣタグを保持しかつ、そのＩＣタグにて管理される管理対象物に取り付け可能なＩＣタグホルダに関する。
【背景技術】
【０００２】
従来のこの種のＩＣタグホルダとして、図１７に示すように四角形に陥没したカード収容凹部２の開口縁に複数の係止突起３を備えた構造のものが知られている。このものでは、ＩＣタグ４の４辺をカード収容凹部２の奥壁２Ａと係止突起３との間に挟んだ状態にして、ＩＣタグ４がＩＣタグホルダに保持されていた（例えば、特許文献１参照）。
【特許文献１】特開平９−２５４９８３号公報（段落［００１８］〜［００２０］、第３図）
【発明の開示】
【発明が解決しようとする課題】
【０００３】
しかしながら、上記した従来のＩＣタグホルダは、カード収容凹部２の奥壁２Ａのうち一部の孔等を除いた全体がＩＣタグ４の後面全体に密着する構成であったため、ＩＣタグ４の無線性能が低下する事態が生じ得た。また、ＩＣタグ４をカード収容凹部２内に装着する作業が困難であった。
【０００４】
本発明は、上記事情に鑑みてなされたもので、ＩＣタグの無線性能への影響を従来より低減させることが可能であると共に、ＩＣタグを容易に装着することが可能なＩＣタグホルダの提供を目的とする。
【課題を解決するための手段】
【０００５】
上記目的を達成するためになされた請求項１の発明に係るＩＣタグホルダは、カード形のＩＣタグを四方から囲むと共にＩＣタグの前面及び後面を前後方向で露出した状態にして収容可能なタグ収容枠と、ＩＣタグにて管理される管理対象物にタグ収容枠を取り付けるための取付部と、タグ収容枠の一辺に貫通形成されてその一辺の長手方向に延び、ＩＣタグをタグ収容枠の側方からタグ収容枠内に挿入可能とするためのタグ挿入孔と、タグ挿入孔の内側に形成され、ＩＣタグをタグ挿入孔に挿入したときに、そのタグ挿入孔の奥側に進むに従ってＩＣタグを挿入方向と直交する方向で湾曲した形状に弾性変形させる変形ガイドと、タグ収容枠内に収容したＩＣタグを、タグ挿入孔側に逆戻り不能に弾性復元させた状態で前後方向から挟持する複数のタグ前後保持部材とを備え、複数のタグ前後保持部材は、タグ収容枠の対向辺間に差し渡された支柱、又は、タグ収容枠から内側に張り出してＩＣタグの縁部のみに対向するタグ縁部対向突壁の何れか又はそれらの両方で構成されたところに特徴を有する。
【０００６】
請求項２の発明は、請求項１に記載のＩＣタグホルダにおいて、タグ挿入孔の内面のうち前後方向で対向した第１と第２の挿入孔内面によって変形ガイドが構成され、第１の挿入孔内面は、ＩＣタグの挿入方向と直交する方向で円弧状に湾曲しかつＩＣタグの挿入方向と並行になった円弧面であり、第２の挿入孔内面は、ＩＣタグの挿入方向の奥側に位置した奥側縁部が第１の挿入孔内面と並行になって湾曲する一方、ＩＣタグの挿入方向の手前側に位置した手前側縁部が直線状に延びて、それら奥側縁部と手前側縁部との間で三次元的に捻れた捻れ曲面であるところに特徴を有する。
【０００７】
請求項３の発明は、請求項１又は２に記載のＩＣタグホルダにおいて、タグ収容枠のうちタグ挿入孔を有する枠構成壁のうち長手方向の中央部を内側に湾曲させることで、枠構成壁の外面にタグ押圧凹部を陥没形成する一方、枠構成壁の内面に湾曲挟持部を突出形成してその湾曲挟持部でタグ縁部対向突壁を構成し、ＩＣタグがタグ挿入孔を通してタグ収容枠の奥部に突き当たるまで挿入された状態で、ＩＣタグのうち挿入方向と直交する方向の両端部は、タグ挿入孔を通過して弾性復元する一方、ＩＣタグの中央部のみが湾曲挟持部においてタグ挿入孔内に留まってその湾曲挟持部により前後方向から挟持されるように構成したところに特徴を有する。
【０００８】
請求項４の発明は、請求項１乃至３の何れかに記載のＩＣタグホルダにおいて、ＩＣタグホルダは、管理対象物に備えられて互いに対向した１対のホルダ取付壁の間に受容され、取付部は、ＩＣタグホルダを１対のホルダ取付壁の間に受容する過程で弾性変形した後、弾性復元して１対のホルダ取付壁に係止する弾性係止部材で構成されたところに特徴を有する。
【０００９】
請求項５の発明は、請求項４に記載のＩＣタグホルダにおいて、タグ挿入孔は、ＩＣタグホルダを１対のホルダ取付壁の間に受容した状態で管理対象物の壁面に覆われる位置に配置されたところに特徴を有する。
【発明の効果】
【００１０】
［請求項１の発明］
請求項１のＩＣタグホルダでは、ＩＣタグをタグ収容枠内に収容するためにタグ挿入孔に挿入すると、そのＩＣタグがタグ挿入孔内の変形ガイドによって挿入方向と直交する方向で湾曲した形状に弾性変形される。そして、ＩＣタグがタグ収容枠内に収容されると、タグ挿入孔側に逆戻り不能に弾性復元した状態になり、複数のタグ前後保持部材により前後方向（ＩＣタグの厚さ方向）で挟持される。これらにより、タグ収容枠内の縦、横、前後の全ての方向でＩＣタグの移動が規制される。ここで、ＩＣタグを前後方向で挟持する複数のタグ前後保持部材は、タグ収容枠の対向辺間に差し渡された支柱、又は、タグ収容枠から内側に張り出してＩＣタグの縁部のみに対向するタグ縁部対向突壁の何れか又はそれらの両方で構成されているので、従来のＩＣタグホルダのようにＩＣタグの後面全体に密着するものより、ＩＣタグに対する密着部分を減らすことができ、無線性能への影響を従来より低減させることが可能になる。しかも、ＩＣタグをタグ挿入孔に挿入するだけで、ＩＣタグがタグ収容枠内に抜け止め状態に装着されるのでＩＣタグの装着作業を従来より容易に行うことができる。
【００１１】
［請求項２の発明］
請求項２の構成では、ＩＣタグをタグ挿入孔に押し込むと、ＩＣタグが、第２の挿入孔内面に摺接してその第２の挿入孔内面の手前側縁部に対応した平坦形状から奥側縁部に対応した湾曲形状へと変形される。このように本発明によれば、ＩＣタグが第２の挿入孔内面に摺接して案内され、スムーズにＩＣタグをタグ収容枠内に装着することができる。
【００１２】
［請求項３の発明］
請求項３の構成によれば、ＩＣタグをタグ挿入孔に押し込んでいくと、途中でＩＣタグの挿入方向の後端部がタグ挿入孔を有する枠構成壁の外面と面一状態になる。ここで、本発明では枠構成壁の外面にタグ押圧凹部が陥没形成されているので、そのタグ押圧凹部の奥部までＩＣタグを押し込むことができる。そして、ＩＣタグがタグ挿入孔を通してタグ収容枠の奥部に突き当たった状態になると、ＩＣタグのうち挿入方向と直交する方向の両端部がタグ挿入孔を通過して弾性復元し、これによりＩＣタグがタグ挿入孔に逆戻り不能な状態になる。この状態でＩＣタグのうち挿入方向と直交する方向の中央部のみが、枠構成壁の内面から突出した湾曲挟持部でタグ挿入孔内に留まり、その湾曲挟持部により前後方向から挟持され、タグ収容枠内で安定する。
【００１３】
［請求項４の発明］
請求項４の構成によれば、ＩＣタグホルダを管理対象物における１対のホルダ取付壁の間に押し込むだけで、弾性係止部材が弾性変形を乗り越えてホルダ取付壁に係止し、ＩＣタグホルダが管理対象物に取り付けられる。
【００１４】
［請求項５の発明］
請求項５の構成によれば、タグ挿入孔が、ＩＣタグホルダを１対のホルダ取付壁の間に受容した状態で管理対象物の壁面に覆われるのでタグ挿入孔からのＩＣタグの離脱を確実に防ぐことができる。
【発明を実施するための最良の形態】
【００１５】
［第１実施形態］
以下、本発明の一実施形態を図１〜図６に基づいて説明する。本実施形態のＩＣタグ９０は、図１（Ａ）に示されており、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［Ｍｈｚ］のＵＨＦ帯域が使用されている。また、このＩＣタグ９０は、可撓性に富んだ四角形のフィルム回路基盤９１に、例えば、コイルアンテナ９２とＩＣチップ９３と実装して樹脂フィルム９４でラミネートしてなり、全体が横長のカード形状になっている。
【００１６】
本実施形態のＩＣタグホルダ１０は、ＩＣタグ９０を四方から囲むことが可能な横長のタグ収容枠１１を備えている。タグ収容枠１１は、均一幅の帯状板１１Ａを長方形に屈曲させた形状になっており、帯状板１１Ａの幅、即ち、タグ収容枠１１の厚さＷ１は、ＩＣタグホルダ１０の厚さｔ１に比べて十分に大きくなっている。以下、ＩＣタグ９０及びタグ収容枠１１において、長手方向でもある横方向を「横方向Ｘ」、短手方向でもある縦方向を「縦方向Ｙ」、厚さ方向でもある前後方向を「前後方向Ｚ」と呼ぶこととする。
【００１７】
図２（Ｂ）に示すように、タグ収容枠１１の左右両辺を構成する短辺側枠構成壁１２Ｓ，１２Ｓには、内面の後端縁から内方突壁１８，１８が内側に突出形成されている。そして、それら内方突壁１８，１８と短辺側枠構成壁１２Ｓ，１２Ｓとの間で面一になった後端面から後方に本発明の「取付部」に相当する圧入係止突起１９，１９が突出している。各圧入係止突起１９は、円柱体１９Ａの先端に円錐台状のヘッド部１９Ｂを備えてなり、そのヘッド部１９Ｂの大径側端部が円柱体１９Ａの側方に張り出している。
【００１８】
図１（Ａ）に示すように、タグ収容枠１１のうち一方の長辺を構成する長辺側枠構成壁１２Ｕには、本発明に係るタグ挿入孔２０が形成されている。タグ挿入孔２０は、長辺側枠構成壁１２Ｕにおける長手方向の略全体に亘って延び、タグ収容枠１１の内外に貫通している。そして、このタグ挿入孔２０を通してＩＣタグ９０をタグ収容枠１１の側方から内部に挿入することができる（図１（Ｂ）参照）。
【００１９】
図３（Ａ）及び図３（Ｂ）に示すように、タグ挿入孔２０の内部では、本発明に係る第１と第２の挿入孔内面２１，２２が前後方向Ｚで対向している。第１と第２の挿入孔内面２１，２２のうち後ろ側に配置された第１の挿入孔内面２１は、ＩＣタグ９０の挿入方向と直交する方向で円弧状に湾曲しかつ、前側（第２の挿入孔内面２２側）に膨らんでいる。そして、第１の挿入孔内面２１全体が、図５（Ａ）に示すように、縦方向Ｙ、即ち、ＩＣタグ９０の挿入方向と並行な円弧面になっている。なお、図５（Ａ）は、図３（Ｂ）のＡ−Ａ切断面におけるＩＣタグホルダ１０の断面図であり、図５（Ｂ）は、図３（Ｂ）のＢ−Ｂ切断面におけるＩＣタグホルダ１０の断面図である。
【００２０】
これに対し、前側に配置された第２の挿入孔内面２２は、ＩＣタグ９０の挿入方向の奥側の奥側縁部２２Ａが、図３（Ａ）及び図３（Ｂ）に示すように、第１の挿入孔内面２１と並行になって湾曲する一方、挿入方向の手前側の手前側縁部２２Ｂが横方向Ｘと並行な直線状をなしている。そして、第２の挿入孔内面２２全体が、奥側縁部２２Ａと手前側縁部２２Ｂとの間で三次元的に捻れた捻れ曲面になっている。これにより、図１（Ａ）に示すように、自然状態で平坦形状になったＩＣタグ９０がタグ挿入孔２０に挿入されると、図１（Ｂ）及び図３（Ｂ）に示したように湾曲形状へと弾性変形される。
【００２１】
図１（Ａ）に示すように、タグ収容枠１１のうち１対の長辺を構成する長辺側枠構成壁１２Ｕ，１２Ｄの間には、本発明の「タグ前後保持部材」としてのフロント支柱１４とリア支柱１５とが複数本ずつ差し渡されている。それらのうちフロント支柱１４は、タグ収容枠１１の前端寄り位置に配置されて、横方向Ｘに複数並べられている。一方、リア支柱１５は、タグ収容枠１１の後端寄り位置に配置されて横方向Ｘで対になっている。また、フロント支柱１４及びリア支柱１５は、共に前後方向Ｚより横方向Ｘが薄くなった板状をなしている。そして、タグ挿入孔２０からタグ収容枠１１内に挿入されたＩＣタグ９０が、フロント支柱１４群とリア支柱１５群との間に前後方向Ｚで挟持される。
【００２２】
より具体的には、複数のフロント支柱１４は、タグ収容枠１１の横方向における一端寄り位置に１つと、他端寄り位置に１つと、中央部の２つの計４箇所に配置されている。また、複数のリア支柱１５は、タグ収容枠１１の横方向において、右側２つのフロント支柱１４，１４の中間位置と、左側２つのフロント支柱１４，１４の中間位置との２位置とにそれぞれ配置されている。
【００２３】
図４（Ｃ）に示すように、リア支柱１５のうちＩＣタグ９０に突き合わされる側の先端縁部は、ＩＣタグ９０に接近するに従って横幅が狭くなった先細り形状になっている。その先細り形状にするためにリア支柱１５の先端縁部には、左右対称に傾斜面１５Ｓ，１５Ｓが形成されている。また、フロント支柱１４のうちＩＣタグ９０に突き合わされる側の先端縁部も同様に先細り形状になっており、１対の傾斜面１４Ｓ，１４Ｓを備えている。
【００２４】
全てのフロント支柱１４におけるＩＣタグ９０側の先端は、前後方向Ｚで同一位置に配置されている。また、両リア支柱１５，１５の間でも、それらリア支柱１５，１５におけるＩＣタグ９０側の先端は、前後方向Ｚで同一位置に配置されている。そして、それらフロント支柱１４の先端と、リア支柱１５の先端との前後方向Ｚにおける間隔が、丁度、ＩＣタグ９０の厚さｔ１と一致している。これにより、ＩＣタグ９０は、フロント支柱１４群とリア支柱１５群とにより前後方向から挟まれた状態で平坦な形状になって保持される。
【００２５】
また、図４（Ａ）に示すように、タグ挿入孔２０に対しては、中央のフロント支柱１４，１４の先端は、第２の挿入孔内面２２の奥側縁部２２Ａと前後方向Ｚで一致した位置に配置され、両端部のフロント支柱１４の先端は、タグ挿入孔２０の奥側縁部２２Ａから前側に離れた位置に配置されている。一方、リア支柱１５，１５の先端は、タグ挿入孔２０における第２の挿入孔内面２２の奥側縁部２２Ａと第１の挿入孔内面２１との間の中間部の奥側縁部２２Ａ寄りに位置している。そして、タグ挿入孔２０から１１Ａ内に挿入されたＩＣタグ９０がリア支柱１５，１５の前方に乗り上がるようになっている。そのために、図５（Ａ）に示すように、リア支柱１５におけるタグ挿入孔２０側の上端部には、ＩＣタグ９０を前方に案内する前方案内面１５Ｋが形成されている。
【００２６】
また、図４（Ｂ）に示すように、ＩＣタグ９０は、フロント支柱１４及びリア支柱１５に保持されることで、タグ収容枠１１内において前後方向Ｚの中心部より前端寄り位置（図４（Ｂ）における下方寄り位置）に配置されるようになっている。
【００２７】
本実施形態の構成に関する説明は以上である。次に、本実施形態の作用効果について説明する。ＩＣタグホルダ１０に装着する前のＩＣタグ９０は、図１（Ａ）に示すように、自然状態で平坦形状になっている。このＩＣタグ９０をＩＣタグホルダ１０に装着するには、そのＩＣタグ９０における一方の長辺側縁部を先頭にしてタグ挿入孔２０内に押し込む。すると、そのＩＣタグ９０が、第２の挿入孔内面２２に摺接し、その第２の挿入孔内面２２の手前側縁部２２Ｂに対応した平坦形状から奥側縁部２２Ａに対応した湾曲形状へと弾性変形する（図１（Ｂ）参照）。
【００２８】
そして、ＩＣタグ９０における挿入方向の先端部がタグ収容枠１１内に突入すると、リア支柱１５の前方案内面１５Ｋ（図５（Ａ）参照）に案内されて、ＩＣタグ９０がリア支柱１５の前側に乗り上がる。ＩＣタグ９０を更に挿入すると、ＩＣタグ９０がタグ挿入孔２０を通過する。なお、その通過が困難である場合には、例えば、フロント支柱１４，１４の間でタグ収容枠１１側からＩＣタグ９０を引けばよい。
【００２９】
ＩＣタグ９０がタグ挿入孔２０を通過すると、ＩＣタグ９０全体がタグ収容枠１１内に収まり、図４（Ｂ）に示すように、ＩＣタグ９０が弾性復元して平坦な形状になると共に、ＩＣタグ９０がフロント支柱１４群とリア支柱１５群とによって前後方向Ｚで挟まれて位置決めされる。このとき、ＩＣタグ９０の横方向Ｘにおける両端部が前後方向Ｚでタグ挿入孔２０に対してずれた位置に配置され（図５（Ｂ）参照）、ＩＣタグ９０がタグ挿入孔２０に逆戻りすることが規制される。これらにより、タグ収容枠１１内の縦、横、前後の全ての方向でＩＣタグ９０の移動が規制され、ＩＣタグ９０のＩＣタグホルダ１０への装着が完了する。
【００３０】
次いで、ＩＣタグホルダ１０をＩＣタグ９０にて管理される管理対象物に取り付ける。その管理対象物の一例として図６に示したパレット８０が挙げられる。このパレット８０には、例えば１対のフォーク挿入孔８２，８２の間の外側面に、ＩＣタグホルダ１０を固定するためのホルダ固定溝部８１が陥没形成されている。ＩＣタグホルダ１０は、ホルダ固定溝部８１の奥壁８１Ｈに備えた係止孔８１Ａ，８１Ａに圧入係止突起１９，１９を圧入することで、圧入係止突起１９におけるヘッド部１９Ｂが奥壁８１Ｈの裏面に係止し（図４（Ｂ）参照）、ＩＣタグホルダ１０がパレット８０に固定される。すると、ＩＣタグホルダ１０のタグ挿入孔２０がホルダ固定溝部８１の内側面に覆われ、ＩＣタグ９０の離脱が確実に防がれる。
【００３１】
さて、ＩＣタグ９０がＩＣタグホルダ１０に装着されると、図２（Ａ）及び図２（Ｂ）に示すように、タグ収容枠１１の前面又は後面のうちフロント支柱１４及びリア支柱１５以外の部分で、ＩＣタグ９０の前面９０Ｆ及び後面９０Ｂがタグ収容枠１１から露出した状態になる。そして、図４（Ｂ）に示すように、タグ収容枠１１における後端面１１ＲからＩＣタグ９０迄の距離Ｌ１だけ、ＩＣタグ９０が前後方向Ｚにおいて管理対象物（パレット８０）の壁面から離される。
【００３２】
ここで、ＩＣタグ９０は、上述したように、コイルアンテナ９２を備えている。そして、そのコイルアンテナ９２は、ＩＣタグ９０を前後方向Ｚに貫通する電磁波から情報及び電力を取得する。これに対し、本実施形態のＩＣタグホルダ１０の構成によれば、ＩＣタグ９０を前後方向Ｚで挟持する部材が、タグ収容枠１１の対向辺間に差し渡されたフロント支柱１４及びリア支柱１５で構成されているので、図１７に示した従来のＩＣタグホルダのようにカード収容凹部２の奥壁２ＡがＩＣタグ４の後面全体に対して密着するものより、ＩＣタグ９０との密着部分を減らすことができ、無線性能への影響を従来より低減させることが可能になる。しかも、それらフロント支柱１４及びリア支柱１５のうちＩＣタグ９０との対向部分は、先細り形状になっているのでＩＣタグ９０との接触面積をより一層低減させることができる。また、本実施形態のＩＣタグホルダ１０によれば、ＩＣタグ９０をタグ挿入孔２０に挿入するだけでＩＣタグ９０がタグ収容枠１１内に抜け止め状態に装着されるのでＩＣタグ９０の装着作業を従来より容易に行うことができる。
【００３３】
［第２実施形態］
本実施形態のＩＣタグホルダ１０Ｗは、図７〜図１０に示されており、前記第１実施形態のＩＣタグホルダ１０に対して、複数のフロント支柱１４を全て排除し、それらに代えてタグ縁部対向突壁１４Ｘ，１４Ｙ，１４Ｙ及び湾曲挟持部２４を設けた点と、内方突壁１８及び圧入係止突起１９を排除し、タグ収容枠１１の両短辺側枠構成壁１２Ｓ，１２Ｓにそれぞれ弾性係止部材２３，２３を備えた点とが異なる。
【００３４】
具体的には、図７に示すように、タグ収容枠１１のうちタグ挿入孔２０と反対側の長辺側枠構成壁１２Ｄの内面から内側にタグ縁部対向突壁１４Ｘが突出している。このタグ縁部対向突壁１４Ｘは、長辺側枠構成壁１２Ｄの内面における前端部に配置されて横方向Ｘの中央部で横長に延びている。また、タグ収容枠１１の各短辺側枠構成壁１２Ｓの内面には、その前端寄り位置から内側にタグ縁部対向突壁１４Ｙがそれぞれ突出している。また、タグ縁部対向突壁１４Ｙの縦方向Ｙにおける両端部は、長辺側枠構成壁１２Ｕ，１２Ｄに繋がっている。そして、これらタグ縁部対向突壁１４Ｘ，１４Ｙ，１４Ｙが、ＩＣタグ９０における前面９０Ｆの下縁部と両側縁部に対向し（図８参照）、ＩＣタグ９０を前方から位置決めするようになっている。
【００３５】
タグ収容枠１１のうちタグ挿入孔２０を有した長辺側枠構成壁１２Ｕは、その長手方向の中央部が内側に湾曲しており、これにより、長辺側枠構成壁１２Ｕの外面には、本発明に係るタグ押圧凹部２４Ａが陥没形成される一方、長辺側枠構成壁１２Ｕの内面には、湾曲挟持部２４が突出形成されている。
【００３６】
また、タグ収容枠１１の両短辺側枠構成壁１２Ｓにおける後寄り位置には、図７に示すように、スリットが形成されて各短辺側枠構成壁１２Ｓの一部が縦方向Ｙに延びた片持ち梁２３Ｃとして切り離され、その片持ち梁２３Ｃの先端から外方に係止突部２３Ｔを突出形成して弾性係止部材２３が構成されている。また、図１０に示すように、弾性係止部材２３は、タグ収容枠１１の前後方向ＺのうちＩＣタグ９０が保持される部分より後ろ側にずらして配置され、タグ収容枠１１のＩＣタグ９０と干渉しないようになっている。さらに、図７に示すように、弾性係止部材２３の係止突部２３Ｔのうち縦方向Ｙにおける一方側の面は、短辺側枠構成壁１２Ｓの外面から徐々に側方に立ち上がった傾斜面２３Ａになっており、他方側の面は短辺側枠構成壁１２Ｓの外面と直交した係止面２３Ｂになっている。そして、その傾斜面２３Ａがタグ収容枠１１のうちタグ挿入孔２０を有する長辺側枠構成壁１２Ｕ側を向いている。
【００３７】
図７に示すように、ＩＣタグホルダ１０Ｗが取り付けられる管理対象物８０Ｗ（パレット、コンテナ等）の壁面８０Ｈには、ホルダ装着部７０が形成されている。このホルダ装着部７０は、平行になって縦方向Ｙに延びた１対のホルダ取付壁７１，７１と、それらホルダ取付壁７１，７１の一端部（図７における上端部）の間に差し渡された終端壁７３とで構成されている。各ホルダ取付壁７１は、管理対象物８０Ｗの壁面８０Ｈから直立した起立壁７１Ｘと、その先端から直角内側に折り曲げられた前面壁７１Ｙとからなり、断面がＬ字形になっている。また、各ホルダ取付壁７１における起立壁７１Ｘには、ＩＣタグホルダ１０Ｗに弾性係止部材２３に対応して係止孔７２がそれぞれ貫通形成されている。上記構成以外は、第１実施形態と同様である。
【００３８】
本実施形態の構成に関する説明は以上である。次に、本実施形態の作用効果について説明する。ＩＣタグホルダ１０Ｗをホルダ装着部７０に取り付ける前にＩＣタグ９０をＩＣタグホルダ１０Ｗに装着する。そのためには、ＩＣタグ９０をタグ挿入孔２０に押し込む。すると、その途中でＩＣタグ９０の挿入方向の後端部がタグ挿入孔２０を有する長辺側枠構成壁１２Ｕ側の外面と面一状態になる（図示せず）。ここで、本実施形態では長辺側枠構成壁１２Ｕ側の外面にタグ押圧凹部２４Ａが陥没形成されているので、そのタグ押圧凹部２４Ａの奥部までＩＣタグ９０を押し込むことができる。そして、ＩＣタグ９０がタグ挿入孔２０を通してタグ収容枠１１の奥部（長辺側枠構成壁１２Ｄの内面）に突き当たった状態になると、図９（Ａ）及び（Ｂ）に示すように、ＩＣタグ９０のうち挿入方向と直交する方向の両端部がタグ挿入孔２０を通過して弾性復元し、タグ挿入孔２０に対して前後方向Ｘでずれる。これによりＩＣタグ９０がタグ挿入孔２０に逆戻り不能な状態になる。この状態でＩＣタグ９０のうち挿入方向と直交する方向の中央部のみが、図９（Ｃ）に示すように、長辺側枠構成壁１２Ｕ側の内面から突出した湾曲挟持部２４でタグ挿入孔２０内に留まり、その湾曲挟持部２４により前後方向Ｚから挟持される。
【００３９】
また、ＩＣタグ９０がタグ収容枠１１内に収容された状態になると、図８に示すように、ＩＣタグ９０の前面９０Ｆに対してその縁部のみに上記した湾曲挟持部２４及びタグ縁部対向突壁１４Ｘ，１４Ｙ，１４Ｙが対向し、ＩＣタグ９０の前面９０Ｆにおける中央部全体がタグ収容枠１１の前方に開放した状態になる。これにより、タグ収容枠１１にＩＣタグ９０を収容した状態でそのＩＣタグ９０の中央部に識別番号等の情報を、例えば、印字、手書き等により記入することができる。
【００４０】
さて、ＩＣタグ９０を保持したＩＣタグホルダ１０Ｗは、タグ挿入孔２０を有した側を先頭にして、ホルダ装着部７０の両ホルダ取付壁７１，７１間に挿入される。その過程で弾性係止部材２３の傾斜面２３Ａがホルダ取付壁７１の端部に摺接して弾性係止部材２３が弾性変形する。そして、ＩＣタグホルダ１０Ｗがホルダ装着部７０の奥部まで押し込まれると、係止突部２３Ｔが係止孔７２内に突入して弾性係止部材２３が弾性復元する。これにより、係止突部２３Ｔの係止面２３Ｂが係止孔７２の内面に係止し、ＩＣタグホルダ１０Ｗがホルダ装着部７０内に抜け止めされる。このように本実施形態によれば、ＩＣタグホルダ１０Ｗを管理対象物８０Ｗにおける１対のホルダ取付壁７１，７１の間に押し込むだけで、弾性係止部材２３が弾性変形を乗り越えてホルダ取付壁７１に係止するので、ＩＣタグホルダ１０Ｗの管理対象物８０Ｗに対する取付作業が容易になる。また、ＩＣタグホルダ１０Ｗがホルダ取付壁７１，７１の間に取り付けられると、タグ挿入孔２０が管理対象物８０Ｗの終端壁７３によって塞がれるので、ＩＣタグ９０の保持も強固になる。
【００４１】
［第３実施形態］
本実施形態のＩＣタグホルダ１０Ｘは、図１１及び図１２に示されており、前記第２実施形態のＩＣタグホルダ１０Ｗとは、弾性係止部材２３と構造が異なる弾性係止部材３０を備えた点と、タグ縁部対向突壁１４Ｚを備えた点とが異なる。
【００４２】
即ち、前記第２実施形態の弾性係止部材２３が縦方向に延びた片持ち梁２３Ｃを有していたのに対し、本実施形態の弾性係止部材３０は、図１１に示すように、前後方向に延びた片持ち梁３０Ｃを有し、その先端から外方に突出した係止突部３０Ｔの傾斜面３０Ａが後方を向く一方、係止面３０Ｂが前方を向いている。
【００４３】
また、タグ挿入孔２０を備えた一方の長辺側枠構成壁１２Ｕの内面から下方にタグ縁部対向突壁１４Ｚが突出形成され、そのタグ縁部対向突壁１４Ｚは、他方の長辺側枠構成壁１２Ｕの内面から突出した前記タグ縁部対向突壁１４Ｘと対称的な構造になっている。そして、湾曲挟持部２４の一部がタグ縁部対向突壁１４Ｚに連続している。
【００４４】
さらに、本実施形態のホルダ装着部７０は、管理対象物８０Ｗの壁面８０Ｈに陥没形成され、そのホルダ装着部７０のうち横方向Ｙで対向した１対の内部対向壁７５，７５にそれぞれ係止孔７６，７６が形成されている（図１１では、一方の内部対向壁７５、係止孔７６のみが示されている）。そして、このホルダ装着部７０にＩＣタグホルダ１０Ｘを前後方向Ｚから押し込んで取り付けることができる（図１２（Ａ）及び図１２（Ｂ）参照）。
【００４５】
［第４実施形態］
本実施形態のＩＣタグホルダ１０Ｙは、図１３に示されており、前記第１実施形態のＩＣタグホルダ１０とは、弾性係止部材２３，２３の代わりに取付支持脚１６，１６を備えた点が異なる。それら取付支持脚１６は、図１３（Ｂ）に示すように、リア支柱１５から後方に延設された突壁１６Ｔの先端部を直角曲げして当接壁１６Ａを設け、それら突壁１６Ｔと当接壁１６Ａとの間を補強リブ１６Ｂにて接続した構造なっている。また、当接壁１６Ａには、取付孔１６Ｃが貫通形成されている。そして、管理対象物（図示せず）の壁面に当接壁１６Ａを当接した状態で、ネジ、リベット等によって固定される。本実施形態の構成によれば、取付支持脚１６のタグ収容枠１１からの突出量分だけ、ＩＣタグ９０を管理対象物の壁面からより遠くに離すことができ、ＩＣタグ９０の無線性能をへの影響をより一層低減させることが可能になる。
【００４６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４７】
（１）前記第１実施形態では、第１の挿入孔内面２１が第２の挿入孔内面２２側に膨出するように湾曲していたが、図１４に示すように、第１の挿入孔内面２５を第２の挿入孔内面２６と反対側に膨出するように湾曲させてもよい。具体的には、図１４に示したＩＣタグホルダ１０Ｚでは、タグ挿入孔２０内の前後方向Ｚで対向する第１と第２の挿入孔内面２５，２６のうち第１の挿入孔内面２５が前側に配置されると共に、第２の挿入孔内面２６と反対側に膨出するように湾曲しかつ縦方向（図１４の紙面と直交する方向）と並行な円弧面になっている。これに対し、第２の挿入孔内面２６の奥側縁部２６Ａが第１の挿入孔内面２５と並行に湾曲する一方、第２の挿入孔内面２６の手前側縁部２６Ｂが直線状に延び、それら奥側縁部２６Ａと手前側縁部２６Ｂとの間で第２の挿入孔内面２６が三次元的に捻れた形状になっている。このように構成しても第１実施形態と同様の効果を奏する。
【００４８】
（２）前記第１実施形態では、第１の挿入孔内面２１と第２の挿入孔内面２２とによってタグ挿入孔２０に挿入されたＩＣタグ９０を湾曲変形させる構成であったが、図１５及び図１６に示したＩＣタグホルダ１０Ｖのように、タグ挿入孔２０内の前後方向Ｚで対向する孔内面２０Ｓ，２０Ｔを互いに並行な平坦面としておき、一方の孔内面２０Ｓの横方向Ｘにおける両端部から他方の孔内面２０Ｔに向けて１対の後向ガイド突起２７（本発明に係る「変形ガイド」に相当する）を突出させる一方、他方の孔内面２０Ｔの長手方向における中央部から一方の孔内面２０Ｓに向けて１対の前向ガイド突起２８（本発明に係る「変形ガイド」に相当する）と突出させてもよい。そして、図１６に示すように、これら後向ガイド突起２７と前向ガイド突起２８とが、タグ挿入孔２０の奥側に向かうに従って孔内面２０Ｓ，２０Ｔから徐々に突出する楔形状にしておけば、前記第１実施形態と同様の作用効果を奏することができる。
【００４９】
（３）本発明に係るＩＣタグホルダは、接着剤によって管理対象物に固定してもよい。
【００５０】
（４）前記第２実施形態のＩＣタグホルダ１０Ｗでは、前側にのみタグ縁部対向突壁１４Ｘ，１４Ｙ，１４Ｙが備えられ、後ろ側にはリア支柱１５，１５が備えられていたが、それらリア支柱１５，１５に代えて後ろ側もタグ縁部対向突壁１４Ｘ，１４Ｘにしてもよい。
【図面の簡単な説明】
【００５１】
【図１】本発明の第１実施形態に係るＩＣタグ及びＩＣタグホルダの斜視図
【図２】ＩＣタグを保持した状態のＩＣタグホルダの斜視図
【図３】ＩＣタグホルダの平面図
【図４】ＩＣタグホルダの平断面図
【図５】ＩＣタグホルダの横断面図
【図６】ＩＣタグホルダが取り付けられるパレットの斜視図
【図７】第２実施形態のＩＣタグホルダの斜視図
【図８】そのＩＣタグホルダが管理対象物に取り付けられた状態の斜視図
【図９】ＩＣタグホルダの一部破断斜視図
【図１０】ＩＣタグホルダの平断面図
【図１１】第３実施形態のＩＣタグホルダの斜視図
【図１２】そのＩＣタグホルダが管理対象物に取り付けられた状態の斜視図
【図１３】第４実施形態のＩＣタグホルダの斜視図
【図１４】変形例のＩＣタグホルダの平面図
【図１５】変形例のＩＣタグホルダの平面図
【図１６】変形例のＩＣタグホルダの斜視図
【図１７】従来のＩＣタグホルダの斜視図
【符号の説明】
【００５２】
１０，１０Ｖ〜１０Ｚ    タグホルダ
１１    タグ収容枠
１２Ｓ    短辺側枠構成壁
１２Ｕ，１２Ｄ    長辺側枠構成壁
１４    フロント支柱
１４Ｘ〜１４Ｚ    タグ縁部対向突壁
１５    リア支柱
１９    圧入係止突起（取付部）
２０    タグ挿入孔
２１，２５    第１の挿入孔内面
２２，２６    第２の挿入孔内面
２２Ａ，２６Ａ    奥側縁部
２２Ｂ，２６Ｂ    手前側縁部
２３，３０    弾性係止部材
２４    湾曲挟持部
２４Ａ  タグ押圧凹部
２７    後向ガイド突起（変形ガイド）
２８    前向ガイド突起（変形ガイド）
３０    弾性係止部材
３０Ｔ    係止突部
７０    ホルダ装着部
７１    ホルダ取付壁
８０    パレット（管理対象物）
８０Ｗ    管理対象物
９０    ＩＣタグ
【図１】
2008191943.tif 000003
【図２】
2008191943.tif 000004
【図３】
2008191943.tif 000005
【図４】
2008191943.tif 000006
【図５】
2008191943.tif 000007
【図６】
2008191943.tif 000008
【図７】
2008191943.tif 000009
【図８】
2008191943.tif 000010
【図９】
2008191943.tif 000011
【図１０】
2008191943.tif 000012
【図１１】
2008191943.tif 000013
【図１２】
2008191943.tif 000014
【図１３】
2008191943.tif 000015
【図１４】
2008191943.tif 000016
【図１５】
2008191943.tif 000017
【図１６】
2008191943.tif 000018
【図１７】
2008191943.tif 000019